(57)【要約】【課題】物品が収容された状態の収容空間から気体を排出した状態で袋状の本体部を密封した際にも、表示された図柄や商品情報等が視認し難くなったり、意匠性が低下したりするのを防止することができる包装袋を提供することを課題とする。【解決手段】シート材を用いて形成されており、物品を収容する収容空間を形成する袋状の本体部と、該袋状の本体部の表面の少なくとも一部を覆うように配置される被覆部とを備えており、物品が収容された収容空間から気体が排出された状態で袋状の本体部が密封されるように構成される。【選択図】図１
2019142549.tif 000002
【特許請求の範囲】
【請求項１】
シート材を用いて形成されており、
物品を収容する収容空間を形成する袋状の本体部と、該袋状の本体部の表面の少なくとも一部を覆うように配置される被覆部とを備えており、
物品が収容された収容空間から気体が排出された状態で袋状の本体部が密封されるように構成される包装袋。
【請求項２】
被覆部は、袋状の本体部に連結される被覆連結部を少なくとも一部に備える請求項１に記載の包装袋。
【請求項３】
被覆連結部は、被覆部における一方向の両端部に形成される請求項１又は２に記載の包装袋。
【請求項４】
被覆連結部は、被覆部における前記一方向に交差する他方向の両端部にも形成される請求項３に記載の包装袋。
【発明の詳細な説明】
【技術分野】
【０００１】
本発明は、物品を収容する包装袋に関する。
【背景技術】
【０００２】
従来から、食品等の物品を収容した包装袋が知られている。該包装袋は、シート材を用いて形成される。具体的には、対向するように配置される一対のシート材の外周端部同士がシールされることで、袋状の本体部が形成されており、該袋状の本体部の内側に物品が収容される収容空間が形成されている。
【０００３】
上述のような包装袋で物品を包装する際には、収容空間に物品を収容し、該収容空間から気体を排出した状態で、袋状の本体部を密閉する場合がある。これにより、収容空間内において、物品と気体（空気等）との接触が抑制されるため、物品の状態（鮮度、品質、又は、殺菌状態など）を比較的長期間、維持することができる（特許文献１，２参照）。
【先行技術文献】
【特許文献】
【０００４】
【特許文献１】登録実用新案第３１６５８０９号公報
【特許文献２】登録実用新案第３０５５１５２号公報
【発明の概要】
【発明が解決しようとする課題】
【０００５】
しかしながら、上記のように、物品が収容された収容空間から気体を排出した状態で袋状の本体部を密封すると、袋状の本体部の内側が陰圧になるため、袋状の本体部を構成するシート材が収容空間内の物品の形状に沿って該物品に密着することになる。このように、シート材が物品の形状に沿って密着すると、袋状の本体部にシワや凹凸が形成される。そして、このようなシワや凹凸が袋状の本体部に形成されると、該袋状の本体部に表示された図柄や商品情報等を視認し難くなると共に、包装袋の意匠性が低下することになる。
【０００６】
そこで、本発明は、物品が収容された状態の収容空間から気体を排出した状態で袋状の本体部を密封した際にも、表示された図柄や商品情報等が視認し難くなったり、意匠性が低下したりするのを防止することができる包装袋を提供することを課題とする。
【課題を解決するための手段】
【０００７】
本発明に係る包装袋は、シート材を用いて形成されており、物品を収容する収容空間を形成する袋状の本体部と、該袋状の本体部の表面の少なくとも一部を覆うように配置される被覆部とを備えており、物品が収容された収容空間から気体が排出された状態で袋状の本体部が密封されるように構成される。
【０００８】
斯かる構成によれば、物品を収容する収容空間を形成する袋状の本体部と、該袋状の本体部の表面の少なくとも一部を覆うように配置される被覆部とを備える。そして、物品が収容された収容空間から気体が排出された状態で袋状の本体部が密封されるように構成される。これにより、袋状の本体部の内側が陰圧になるため、袋状の本体部を構成するシート材が物品の形状に沿って物品に密着することになる。このため、袋状の本体部には、シワや凹凸が形成される。しかしながら、袋状の本体部の表面の少なくとも一部が被覆部によって覆われることで、被覆部で覆われた領域に形成されたシワや凹凸が被覆部によって隠蔽される。これにより、被覆部に図柄や商品情報等を表示することで、表示内容が視認し易くなると共に、包装袋の意匠性の低下も防止することができる。
【０００９】
被覆部は、袋状の本体部に連結される被覆連結部を少なくとも一部に備えることが好ましい。
【００１０】
斯かる構成によれば、被覆部は、袋状の本体部に連結される被覆連結部を少なくとも一部に備える。これにより、袋状の本体部の少なくとも一部を被覆部が覆った状態を確実に維持することができる。このため、袋状の本体部に形成されるシワや凹凸をより効果的に隠蔽することができる。
【００１１】
被覆連結部は、被覆部における一方向の両端部に形成されることが好ましい。
【００１２】
斯かる構成によれば、連結部は、被覆部における一方向の両端部に形成される。これにより、袋状の本体部の少なくとも一部を被覆部が覆った状態を確実に維持することができる。このため、袋状の本体部に形成されるシワや凹凸をより効果的に隠蔽することができる。
【００１３】
被覆連結部は、被覆部における前記一方向に交差する他方向の両端部にも形成されることが好ましい。
【００１４】
斯かる構成によれば、被覆部における前記一方向に交差する他方向の両端部にも形成される。これにより、袋状の本体部の少なくとも一部を被覆部が覆った状態を確実に維持することができる。このため、袋状の本体部に形成されるシワや凹凸をより効果的に隠蔽することができる。
【発明の効果】
【００１５】
以上のように、本発明によれば、物品が収容された状態の収容空間から気体を排出した状態で袋状の本体部を密封した際にも、表示された図柄や商品情報等が視認し難くなったり、意匠性が低下したりするのを防止することができる。
【図面の簡単な説明】
【００１６】
【図１】本発明の一実施形態に係る包装袋を被覆部側から見た図。
【図２】同実施形態に係る包装袋の袋状の本体部から被覆部の一部を分離した状態を示す図。
【図３】図１のＩ−Ｉ断面図。
【図４】本発明の他の実施形態に係る包装袋の断面を示した断面図。
【図５】（ａ）は、同実施形態に係る包装袋を形成する一枚のシート材を示した斜視図、（ｂ）は、（ａ）の一枚のシート材が折り返されて一対の対向壁部が形成された状態を示す斜視図、（ｃ）は、（ａ）の一枚のシート材が折り返されて一対の対向壁部、及び、被覆部が形成された状態を示す斜視図。
【発明を実施するための形態】
【００１７】
以下に、本発明に係る包装袋の一実施形態について、図１〜３に基づいて説明する。なお、以下の図面において同一又は相当する部分には同一の参照符号を付しその説明は繰り返さない。
【００１８】
図１，２に示すように、本実施形態に係る包装袋１は、シート材を用いて形成される。シート材としては、特に限定されるものではなく、例えば、無軸延伸ポリプロピレン（ＣＰＰ）フィルムや、二軸延伸ポリプロピレン（ＯＰＰ）フィルム等を用いることができる。そして、包装袋１は、物品を収容する収容空間Ｒを形成する袋状の本体部２と、袋状の本体部２の表面の少なくとも一部を覆う被覆部３とを備える。本実施形態では、包装袋１は、図３に示すように、袋状の本体部２と、被覆部３とが別々の部材から構成される。
【００１９】
袋状の本体部２は、対向するように配置される一対の対向壁部２ａ，２ａと、一対の対向壁部２ａ，２ａが連結されて形成された本体連結部２ｂとを備える。本実施形態では、別体として構成される一対の対向壁部２ａ，２ａが連結されて本体連結部２ｂが形成されることで、袋状の本体部２が構成されている。図１，２に戻り、本体連結部２ｂは、収容空間Ｒを囲むように連続して形成される。換言すれば、環状に形成された本体連結部２ｂの内側に収容空間Ｒが形成される。なお、本体連結部２ｂを形成する方法としては、特に限定されるものではなく、例えば、一対の対向壁部２ａ，２ａの外周端部同士を全周に亘ってヒートシールしたり、該外周端部同士を全周に亘って接着剤や両面テープなどを用いて連結したりすることで本体連結部２ｂを形成することができる。
【００２０】
被覆部３は、一方の対向壁部２ａと重なるように配置される。具体的には、被覆部３は、一方の対向壁部２ａの略全域を覆うように構成される。本実施形態では、被覆部３は、一方の対向壁部２ａと略同一形状に形成される。
【００２１】
また、被覆部３は、少なくとも一部が袋状の本体部２に連結される。つまり、被覆部３は、袋状の本体部２に連結される被覆連結部３ａを少なくとも一部に備える。本実施形態では、被覆連結部３ａは、被覆部３の端部に形成される。また、被覆連結部３ａは、被覆部３における一方向の両端部と、該一方向に交差する他方向の両端部とに形成される。本実施形態では、被覆連結部３ａは、被覆部３の外周に沿って間隔を空けて形成される。具体的には、四角形状の被覆部３の各角部に被覆連結部３ａが形成される。
【００２２】
袋状の本体部２と被覆部３（被覆連結部３ａ）とを連結する方法としては、特に限定されるものではなく、例えば、袋状の本体部２と被覆部３（被覆連結部３ａ）とをヒートシールする方法が挙げられる。具体的には、一方の対向壁部２ａにおける本体連結部２ｂを形成する領域と被覆連結部３ａとがヒートシールされることで袋状の本体部２と被覆部３とが連結されてもよい。又は、一方の対向壁部２ａ（具体的には、四角形状の一方の対向壁部２ａの端部を構成する各角部）を貫通する開口部を該一方の対向壁部２ａに形成し、一対の対向壁部２ａ，２ａを重ねた際に該開口部から露出する他方の対向壁部２ａ（具体的には、四角形状の他方の対向壁部２ａの端部を構成する各角部）と被覆連結部３ａとがヒートシールされることで袋状の本体部２と被覆部３とが連結されてもよい。また、袋状の本体部２と被覆部３（被覆連結部３ａ）とを分離可能に連結する方法であってもよい。具体的には、袋状の本体部２と被覆部３（被覆連結部３ａ）とが重なるように配置された際に対向する面の少なくとも一方に易剥離層（所謂、イージーピール層）を形成し、該易剥離層を備える位置で袋状の本体部２と被覆部３とをヒートシールする方法であってもよい。又は、該対向する面の少なくとも一方を粗面にし、該粗面の位置で袋状の本体部２と被覆部３とをヒートシールする方法であってもよい。又は、袋状の本体部２と被覆部３とを分離可能な状態で接着剤や両面テープなどを用いて連結する方法であってもよい。
【００２３】
上記のように構成される包装袋１は、物品が収容された収容空間Ｒから気体（具体的には、空気）が排出された状態で袋状の本体部２が本体連結部２ｂによって密封される。具体的には、包装袋１は、所謂真空パックされることで物品を包装するものである。この際、袋状の本体部２（具体的には、一対の対向壁部２ａ，２ａ）を構成するシート材が物品に密着するため、袋状の本体部２（具体的には、一対の対向壁部２ａ，２ａ）にシワや凹凸が生じることになる。そして、袋状の本体部２（具体的には、一方の対向壁部２ａ）を覆うように被覆部３が配置されることで、該被覆部３によって袋状の本体部２（具体的には、一対の対向壁部２ａ，２ａ）に生じたシワや凹凸が覆い隠された状態になる。
【００２４】
以上のように、本発明に係る包装袋によれば、物品が収容された状態の収容空間から気体を排出した状態で袋状の本体部を密封した際にも、表示された図柄や商品情報等が視認し難くなったり、意匠性が低下したりするのを防止することができる。
【００２５】
即ち、物品を収容する収容空間Ｒを形成する袋状の本体部２と、該袋状の本体部２の表面の少なくとも一部を覆うように配置される被覆部３とを備える。そして、物品が収容された収容空間Ｒから気体が排出された状態で袋状の本体部２が密封されるように構成される。これにより、袋状の本体部２の内側が陰圧になるため、袋状の本体部２を構成するシート材が物品の形状に沿って物品に密着することになる。このため、袋状の本体部２にシワや凹凸が形成される。しかしながら、袋状の本体部２の表面の少なくとも一部が被覆部３によって覆われることで、被覆部３で覆われた領域に形成されたシワや凹凸が被覆部３によって隠蔽される。これにより、被覆部３に図柄や商品情報等を表示することで、表示内容が視認し易くなると共に、包装袋１の意匠性の低下も防止することができる。
【００２６】
また、被覆部３は、袋状の本体部２に連結される被覆連結部３ａを少なくとも一部に備える。これにより、袋状の本体部２の少なくとも一部を被覆部３が覆った状態を確実に維持することができる。このため、袋状の本体部２に形成されるシワや凹凸をより効果的に隠蔽することができる。
【００２７】
また、被覆連結部３ａは、被覆部３における前記一方向の両端部、及び、前記他方向の両端部にも形成される。これにより、袋状の本体部２の少なくとも一部を被覆部３が覆った状態を確実に維持することができる。このため、袋状の本体部２に形成されるシワや凹凸をより効果的に隠蔽することができる。
【００２８】
なお、本発明に係る包装袋は、上記実施形態に限定されるものではなく、本発明の要旨を逸脱しない範囲で種々の変更が可能である。また、上記した複数の実施形態の構成や方法等を任意に採用して組み合わせてもよく（１つの実施形態に係る構成や方法等を他の実施形態に係る構成や方法等に適用してもよく）、さらに、下記の各種の変更例に係る構成や方法等を任意に選択して、上記の実施形態に係る構成や方法等に採用してもよいことは勿論である。
【００２９】
例えば、上記実施形態では、一対の対向壁部２ａ，２ａと、被覆部３とが別々のシート材から形成されているが、これに限定されるものではなく、例えば、図４に示すように、一対の対向壁部２ａ，２ａ、及び、被覆部３が一枚のシート材Ｘから形成されてもよい。具体的には、図５（ａ）に示す一枚のシート材Ｘを、図５（ｂ）に示すように、一方の面側へ一方向に沿って折り返すことで一対の対向壁部２ａ，２ａが形成される。そして、図５（ｃ）に示すように、一枚のシート材Ｘにおける一対の対向壁部２ａ，２ａ以外の領域を前記一枚のシート材Ｘの他方の面側へ一方向に沿って折り返すことで被覆部３が形成される。これにより、包装袋１（具体的には、袋状の本体部２）は、図４に示すように、一枚のシート材Ｘが折り返されることで形成される折返端部２ｃを備える。また、包装袋１は、一枚のシート材Ｘが折り返されることで形成される折返端部２ｄにおいて袋状の本体部２（具体的には、一方の対向壁部２ａ）と被覆部３とが連結される。
【００３０】
上記のように一枚のシート材Ｘで包装袋１を製造する方法としては、一枚のシート材Ｘを一方の面側へ一方向に沿って折り返すことで対向する一対の対向壁部２ａ，２ａを形成する工程と、前記一枚のシート材Ｘにおける一対の対向壁部２ａ，２ａ以外の領域を前記一枚のシート材の他方の面側へ一方向に沿って折り返すことで袋状の本体部２の表面の少なくとも一部を覆う被覆部３を形成する工程と、一対の対向壁部２ａ，２ａにおける前記収容空間Ｒを形成する領域を囲むように一対の対向壁部２ａ，２ａ同士を連結して袋状の本体部２を形成する工程と、該袋状の本体部２に被覆部３（被覆連結部３ａ）を連結する工程とを備える。なお、上記の各工程の順序としては、特に限定されるものではない。
【００３１】
また、上記実施形態では、一対の対向壁部２ａ，２ａと、被覆部３とが別々のシート材から形成されているが、これに限定されるものではなく、例えば、一方の対向壁部２ａと被覆部３とが他方の対向壁部２ａとは別の一枚のシート材から構成されてもよい。斯かる場合には、一枚のシート材を一方の面側へ一方向に沿って折り返すことで、一方の対向壁部２ａと被覆部３とが形成される。又は、一対の対向壁部２ａ，２ａが被覆部３とは別の一枚のシート材から構成されてもよい。斯かる場合には、一枚のシート材を一方の面側へ一方向に沿って折り返すことで、一対の対向壁部２ａ，２ａが形成される。
【００３２】
また、上記実施形態では、被覆部３は、袋状の本体部２を構成する一方の対向壁部２ａの全体を覆うように構成されているが、これに限定されるものではなく、例えば、一方の対向壁部２ａの一部を覆うように構成されてもよい。斯かる場合であっても、被覆部３によって覆われた領域では、シワや凹凸を隠蔽することができる。
【００３３】
また、上記実施形態では、被覆部３は、その全体が袋状の本体部２と重なるように構成されているが、これに限定されるものではなく、例えば、被覆部３が袋状の本体部２と重ならない部分を備えてもよい。具体的には、被覆部３が袋状の本体部２よりも大きくなるように形成されて被覆部３の外周端部よりも内側の領域に袋状の本体部２が重なる用に配置されてもよい。又は、被覆部３の外周端部の一部のみが袋状の本体部２と重ならないように構成されてもよい。
【００３４】
また、上記実施形態では、被覆部３は、外周端部が部分的に袋状の本体部２に連結されるように（具体的には、複数の被覆連結部３ａを備えるように）構成されているが、これに限定されるものではなく、例えば、外周端部が略全周に亘って袋状の本体部２に連結されるように（具体的には、被覆連結部３ａが被覆部３の外周端部の全周に亘って形成ように）構成されてもよい。又は、被覆部３における袋状の本体部２に対向する面の全体が袋状の本体部２に連結されるように構成されてもよく、被覆部３の外周端部よりも内側の領域が袋状の本体部２に連結されるように構成されてもよい。つまり、被覆部３の外周端部よりも内側の領域に被覆連結部３ａが形成されてもよい。
【００３５】
また、上記実施形態では、被覆部３は、被覆連結部３ａを複数備えるように構成されているが、これに限定されるものではなく、例えば、一つの被覆連結部３ａにおいて被覆部３が袋状の本体部２に連結されてもよい。また、上記実施形態では、前記一方向における被覆部３の両端部、及び、前記他方向における被覆部３の両端部に（具体的には、四角形状の被覆部３の各角部に）被覆連結部３ａが形成されているが、これに限定されるものではなく、例えば、前記一方向、又は、他方向における被覆部３の両端部、又は、一端部に被覆連結部３ａが形成されてもよい。
【００３６】
また、上記実施形態では、被覆連結部３ａは、本体連結部２ｂと重なるように構成されているが、これに限定されるものではなく、例えば、袋状の本体部２における収容空間Ｒを形成する領域と被覆連結部３ａとが重なるように構成されてもよい。
【００３７】
また、本発明に係る包装袋の用途としては、特に限定されるものではなく、例えば、収容される物品（例えば、食品等）が高温で加熱殺菌されるものである場合（例えば、レトルト食品である場合）には、所謂、レトルト用であってもよい。食品以外の物品を収容するものであってもよい。
【符号の説明】
【００３８】
１…包装袋、２…本体部、２ａ…対向壁部、２ｂ…本体連結部、２ｃ，２ｄ…折返端部、３…被覆部、３ａ…被覆連結部、Ｒ…収容空間、Ｘ…シート材
【図１】
2019142549.tif 000003
【図２】
2019142549.tif 000004
【図３】
2019142549.tif 000005
【図４】
2019142549.tif 000006
【図５】
2019142549.tif 000007